(57)【要約】【課題】一人のオペレータにより、安定した状態で、トップチェーンを分解及び連結できるトップチェーンの分解連結用治具を提供する。【解決手段】トップチェーン１は、プレート２の一端側３と他端側３に裏面側に突出する第１のヒンジ部６と第２のヒンジ部７を有する複数のトッププレート２を、一つのトッププレートの第１のヒンジ部と別のトッププレートの第２のヒンジ部を一列に整列し、整列した第１のヒンジ部と第２のヒンジ部にピン８を挿通して構成される。トップチェーンの分解連結用治具１０は、平坦面１２と、平坦面に形成され、トッププレートを平坦面に当てた状態で、第１と第２のヒンジ部にピンを挿通してなる連結部５を嵌め込むことができる大きさと形状の第１と第２の凹部１３，１４と、第１の凹部に嵌め込まれた連結部のピンと同軸上に且つピンの両端側に延在する貫通孔１９又は溝２０と、第２の凹部に嵌め込まれた連結部のピンと同軸上に且つピンの一端側にのみ延在する貫通孔又は溝１８を備えている。【選択図】図３
2010132429.tif 000002
【特許請求の範囲】
【請求項１】
プレートの一端側と他端側に裏面側に突出する第１のヒンジ部と第２のヒンジ部を有する複数のトッププレートを、一つのトッププレートの第１のヒンジ部と別のトッププレートの第２のヒンジ部を一列に整列し、整列した第１のヒンジ部と第２のヒンジ部にピンを挿通して構成されるトップチェーンの分解連結用治具であって、
平坦面と、
上記平坦面に形成され、上記トッププレートを上記平坦面に当てた状態で、上記第１と第２のヒンジ部にピンを挿通してなる連結部を嵌め込むことができる第１と第２の凹部と、
上記第１の凹部に嵌め込まれた連結部のピンと同軸上に且つピンの両端側に延在する貫通孔又は溝と、
上記第２の凹部に嵌め込まれた連結部のピンと同軸上に且つピンの一端側にのみ延在する一つの貫通孔又は溝を備えたトップチェーンの分解連結用治具。
【請求項２】
上記プレートが磁性材料で形成されており、上記平坦面には上記金属プレートと対向する部分に磁石が設けてあることを特徴とする請求項１のトップチェーンの分解連結用治具。
【請求項３】
プレートの一端側と他端側に裏面側に突出する第１のヒンジ部と第２のヒンジ部を有する複数のトッププレートを、一つのトッププレートの第１のヒンジ部と別のトッププレートの第２のヒンジ部を一列に整列し、整列した第１のヒンジ部と第２のヒンジ部にピンを挿通して構成されるトップチェーンの分解連結用治具であって、
平坦面と、
上記平坦面に形成され、上記トッププレートの一部を上記平坦面に当てた状態で、上記第１と第２のヒンジ部をピンで連結してなる連結部の一端側を嵌め込むことができる第１と第２の凹部と、
上記第１の凹部に嵌め込まれた連結部のピンと同軸上に延在する貫通孔又は溝と、
上記第２の凹部に嵌め込まれた連結部のピンと同軸上に延在する凹部を備えたトップチェーンの分解連結用治具。
【請求項４】
上記プレートが磁性材料で形成されており、上記平坦面には上記金属プレートと対向する部分に磁石が設けてあることを特徴とする請求項１のトップチェーンの分解連結用治具。
【発明の詳細な説明】
【技術分野】
【０００１】
本発明は、多数のトッププレートを連結してなるトップチェーンを分解連結する際に利用する治具に関する。
【背景技術】
【０００２】
従来、輸送装置の一つとして、金属プレートを互いに連結したトップチェーンが利用されている。
【０００３】
トップチェーンは、多数のトッププレートを連結して構成される。各トッププレートは、略長方形の金属板からなり、長手方向に伸びる一方の縁の中央に筒状ヒンジ部が形成されており、また、長手方向に伸びる反対側の縁の両側に筒状のヒンジ部が形成されている。各ヒンジ部は、金属板の一部を裏面に向けて略Ｃ状に折り返して形成されている。このように構成されたトッププレートは、中央のヒンジ部を隣接する一方のトッププレートの両側ヒンジ部の間に一列に整列させた状態で、それらのヒンジ部にピンを挿通して組み合わされる。そして、ピンは、中央のヒンジ部に対して回転可能であり、両側のヒンジ部に対して回転不能に嵌め込まれる。これにより、隣接するトッププレートは、ピンを中心に相対的に回転可能である。
【発明の開示】
【発明が解決しようとする課題】
【０００４】
このように構成されたトップチェーンを分解する場合又分解したトッププレートを連結する場合、従来、一人のオペレータがレール上に配置されたトップチェーンを浮かした状態で保持し、その状態でもう一人のオペレータがピンを打ち出し又は打ち込みしていた。そのため、分解連結作業は、必ず２人のオペレータが必要であるという問題があった。また、分解連結作業の際にトップチェーンは不安定な状態で保持されるため、ピンの打ち出し及び打ち込み作業も不安定な状態で行わなければならないという問題があった。
【課題を解決するための手段】
【０００５】
この問題を解決するため、本発明に係るトップチェーンの分解連結用治具は、プレートの一端側と他端側に裏面側に突出する第１のヒンジ部と第２のヒンジ部を有する複数のトッププレートを、一つのトッププレートの第１のヒンジ部と別のトッププレートの第２のヒンジ部を一列に整列し、整列した第１のヒンジ部と第２のヒンジ部にピンを挿通して構成されるトップチェーンの分解連結用治具であって、
平坦面と、
上記平坦面に形成され、上記トッププレートを上記平坦面に当てた状態で、上記第１と第２のヒンジ部にピンを挿通してなる連結部を嵌め込むことができる第１と第２の凹部と、
上記第１の凹部に嵌め込まれた連結部のピンと同軸上に且つピンの両端側に延在する貫通孔又は溝と、
上記第２の凹部に嵌め込まれた連結部のピンと同軸上に且つピンの一端側にのみ延在する一つの貫通孔又は溝を備えている。
【０００６】
本発明の他の形態に係るトップチェーンの分解連結用治具は、プレートの一端側と他端側に裏面側に突出する第１のヒンジ部と第２のヒンジ部を有する複数のトッププレートを、一つのトッププレートの第１のヒンジ部と別のトッププレートの第２のヒンジ部を一列に整列し、整列した第１のヒンジ部と第２のヒンジ部にピンを挿通して構成されるトップチェーンの分解連結用治具であって、
平坦面と、
上記平坦面に形成され、上記トッププレートの一部を上記平坦面に当てた状態で、上記第１と第２のヒンジ部をピンで連結してなる連結部の一端側を嵌め込むことができる第１と第２の凹部と、
上記第１の凹部に嵌め込まれた連結部のピンと同軸上に延在する貫通孔又は溝と、
上記第２の凹部に嵌め込まれた連結部のピンと同軸上に延在する凹部を備えている。
【発明の効果】
【０００７】
本発明に係るトップチェーンの分解連結用治具によれば、一人のオペレータにより、安定した状態で、トップチェーンを分解及び連結できる。
【発明を実施するための最良の形態】
【０００８】
以下、添付図面を参照して本発明の実施例を説明する。なお、以下の説明では、特定の方向を示す用語（「上」、「下」、「右」、「左」及びそれらのいずれかを含む別の用語）を使用するが、その使用は図面を参照した発明の理解を容易にするためであり、それらの用語によって本発明の技術的範囲が限定的に解釈されるべきではない。
【０００９】
図１はトップチェーンの一部をその斜め上方から見た斜視図、図２はトップチェーンの一部をその斜め下方から見た斜視図である。これらの図に示すように、トップチェーン１は、多数のトッププレート２を連結して構成されている。
【００１０】
各トッププレート２は、対向する一対の長縁３と短縁４を有する略長方形の金属板又は非金属板で、トップチェーン１の横断方向と長手方向にそれぞれ長縁３と短縁４を向けて配置されており、隣接するトッププレート２は連結部５によって回転可能に連結されている。具体的に、本実施例では、各トッププレート２の一方の長縁３の中央部に筒状ヒンジ部６が形成され、反対側の長縁３の両側に筒状ヒンジ部７，７が形成されており、隣接する一方のトッププレート２の中央ヒンジ部６を隣接するトッププレート２の両側ヒンジ部７の間に位置させ、このようにして一列に配置された中央ヒンジ部６と両側ヒンジ部７にピン８を挿通して連結部５が構成されており、その状態で、ピン８は、中央ヒンジ部６の中で回転可能であるが、両側ヒンジ部７には回転不能に嵌め込まれている。
【００１１】
このように構成されたトップチェーン１を分解連結する治具について説明する。まず、図３〜図８は実施形態１に係る治具１０を示す。この治具１０、硬質金属（例えば、Ｓ４５Ｃ）からなる略長方形のブロック１１で構成される。ブロック１１の一つの平坦な面（以下、「プレート保持面」という。）１２に３つの凹部１３，１４，１５が形成されている。これら３つの凹部１３，１４，１５は、連結部５の間隔（中心間隔）Ｌ１（図２参照）と同一の間隔（中心間隔）をあけて一列に形成されている。各凹部１３，１４，１５は、連結されたトッププレート２をプレート保持面１２に載せた状態（トッププレート２の裏面をプレート保持面１２に当てた状態）で、隣接する３つの連結部５がちょうど（がたつくことなく）嵌り込む大きさと形としてある。
【００１２】
図５に示すように、３つの凹部１３，１４，１５の内、中央凹部１３の中心線上には、凹部１３から図の下方に位置する側面１６に向けて伸びる断面Ｕ状の溝１８が形成されている。また、図の左側に形成された凹部１４の中心線上には、中央凹部１３と同様に凹部１４から図の下方に位置する側面１６に向けて伸びる断面Ｕ状の溝１９が形成され、凹部１４から図の上方に位置する側面１７に向けて伸びる横断面円形の貫通孔２０が形成されている。さらに、図の右側に形成された凹部１５の中心線上には、中央凹部１３と同様に凹部１５から図の上方に位置する側面１７に向けて伸びる断面Ｕ状の溝２１が形成され、凹部１５から図の下方に位置する側面１６に向けて伸びる横断面が円形の貫通孔２２が形成されている。なお、本実施例の溝１８，１９，２１は貫通孔であってもよいし、貫通孔２０，２２は溝であってもよい。
【００１３】
図６，図７に示すように、プレート保持面１２から貫通孔２０，２２の中心までの距離Ｌ２とプレート保持面１２からＵ状溝１８，１９，２１の底部を形成している半円形の中心までの距離Ｌ２は、等しくしてある。そして、図３に示すプレート保持面１２の上部と下部には、左右方向に一定の間隔をあけて永久磁石２３が埋め込まれている。
【００１４】
プレート保持面１２の反対側にあるブロック１１の底面２４の中央には、ブロック長辺方向に伸びる横断面が四角形の凸部１５が一体的に形成されている。凸部２５の幅Ｌ３は、後に説明するレール幅（レールの内法）とほぼ同一にしてある。
【００１５】
このように構成された治具１０を用いてトップチェーンを分解する作業を説明する。まず、図９に示すように、一対のレール２６に載せられたトップチェーン１を浮かしてその下に治具１０を配置し、３つの凹部１３，１４，１５に３つの隣接する連結部５を嵌め込む。この状態で、治具１０の底部凸部２５はレール２６の間に嵌め込まれ、これにより治具１０がレール２６に対して位置決めされる。また、治具１０に対向するトッププレート２は、永久磁石２３の磁力によって、治具１０のプレート保持面１２に密着した状態で保持される。
【００１６】
次に、図１０（ｂ）又は図１０（ｃ）に示すピン抜き用治具２７ｂ又は２７ｃの先端側の小径挿入部２８ｂ又は２８ｃを、貫通孔２０，２２又は溝１８，１９，２１に差し込み、貫通孔又は溝に対向しているピン８の端面に対向させる。この状態で、ピン抜き用治具１０の端面がピン８と同軸上に対向するように、貫通孔と溝の位置が決めてある。そして、ピン抜き用治具２８ｂ又は２８ｃの後端をハンマーで打撃し、ピン８をヒンジ部６，７から抜き出す。
【００１７】
図示するように、実施例ではピン抜き用治具として２種類の治具２７ｂ、２７ｃが示してあり、両者は貫通孔又は溝に挿入される挿入部２８ｂ、２８ｃの長さが異なる。具体的に、図１０（ｃ）に示すピン抜き用治具２７ｃの挿入部２８ｃの長さはブロック１１の一方の側面１６又は１７から該側面から離れた凹部１３，１４，１５の端面までの距離とほぼ等しく、図１０（ｂ）に示すピン抜き用治具２７ｂの挿入部２８ｂの長さは該距離よりも多少短い。そのため、前者のピン抜き用治具２７ｃを利用すればピン８はヒンジ部１６，７から完全に抜くことができ、後者のピン抜き用治具１０を利用すればピン８は後端側の一部がヒンジ部７に残った状態まで抜くことができる。
【００１８】
治具１０を用いてトッププレート２を連結する場合、ピンが挿入されていないヒンジ部６，７を中央凹部６に嵌め込んだ状態で、隣接するトッププレート２をプレート保持面１２に載せる。この状態で、各トッププレート２は永久磁石２３によってプレート保持面１２に保持される。次に、溝１８にピン８を挿入し、図１０（ａ）に示すピン打ち込み用治具２７ａを使って、ピン８をヒンジ部６，７に打ち込む。上述のように、中央凹部１３の一端側（溝１８の反対側）には貫通孔も溝の無いため、打ち込まれたピン８の先端は中央凹部１３を形成する壁に当たった状態で止まり、その状態でピン８はヒンジ部６，７に完全に挿入された状態となる。
【００１９】
図１１〜図１３は、他の実施例に係る分解連結用治具３０を示す。治具３０は、硬質金属（例えば、Ｓ４５Ｃ）からなる四角形のブロック３１を有する。ブロック３１のプレート保持面（平坦面）３２には、複数の永久磁石３３が所定の間隔をあけて埋め込まれている。プレート保持面３２の中央には、図１１に示す上面３４から下面３５に到達する断面がＵ状の溝３６が形成されており、溝３６の底部はピン８の直径とほぼ等しい半円形としてある。溝３６の上端は、相似形に拡大され、連結部５（ヒンジ部７）の端部が嵌合可能な大きさと形状の凹部３７が形成されている。溝３６の両側には、上面３４から下面３５に向かって、連結部５（ヒンジ部７）の端部がちょうど嵌合可能な大きさと形状の凹部３８が形成されている。また、凹部３８の底部には、ピン８とほぼ同一の直径を有する所定深さの孔３９が形成されている。
【００２０】
このように構成された治具３０を用いてトップチェーン１を分解する場合、図１４に示すように、ピンを抜く連結部５のヒンジ端部を中央の凹部３７に、その両側に位置する連結部５のヒンジ端部を両側の凹部３８に嵌め込む。この状態で、トッププレート２の裏面はプレート保持面３２に密着し、永久磁石３３で保持される。そして、上述のように、ピン抜き用治具２７ｂ、２７ｃを用いて中央連結部６のピン８を抜く。ヒンジ部６，７から抜け出たピン８は、溝３６に入る。
【００２１】
トップチェーン１を連結する場合、ピンを打ち込む連結部６のヒンジ端部を両側の凹部３８に嵌め込む。この状態で、連結部５を構成するヒンジ部６，７は一列に整列されており、図１０に示す打ち込み用治具２７ａを用いて、整列したヒンジ部６，７にピン８を打ち込む。
【００２２】
このように、上述の実施例に係る治具を利用すれば、トップチェーン１の分解及び連結作業中、トッププレートは治具にしっかりと保持される。そのため、作業中にトッププレートを保持するためのオペレータが不要になる。また、ピンの打ち込み中もトッププレートは治具に安定して保持されるので、作業を安全に行うことができる。
【図面の簡単な説明】
【００２３】
【図１】トップチェーンを斜め上方から見た斜視図。
【図２】トップチェーンを斜め下方から見た斜視図。
【図３】本発明に係る連結分解用治具を斜め上方から見た斜視図。
【図４】本発明に係る連結分解用治具を斜め上方から見た斜視図。
【図５】図３，４に示す連結分解用治具の平面図。
【図６】図３，４に示す連結分解用治具の側面図。
【図７】図３，４に示す連結分解用治具の側面図。
【図８】図３，４に示す連結分解用治具の端面図。
【図９】図３，４に示す連結分解用治具を用いてトップチェーンを分解及び連結する状態を示す斜視図。
【図１０】図３，４に示す連結分解用治具と共に使用される治具の斜視図。
【図１１】実施例２に係る連結分解用治具を斜め上方から見た斜視図。
【図１２】図１１に示す連結分解用治具の正面図。
【図１３】図１１に示す連結分解用治具の平面図。
【図１４】図１１に示す連結分解用治具を用いてトップチェーンを分解及び連結する状態を示す斜視図。
【符号の説明】
【００２４】
１：トップチェーン
２：トッププレート
３：長縁
４：短縁
５：連結部
６：中央ヒンジ部
７：両側ヒンジ部
８：ピン
１０：治具
１１：ブロック
１２：プレート保持面
１３，１４，１５：凹部
１６，１７：側面
１８，１９，２１：溝
２０，２２：貫通孔
２３：永久磁石
２４：底面
２５：凸部
２６：レール
２７ａ，２７ｂ，２７ｃ：治具
２８ａ，２８ｂ，２８ｃ：挿入部
３０：治具
３１：ブロック
３２：プレート保持面
３３：永久磁石
３４：上面
３５：下面
３６：溝
３７，３８：凹部
【図１】
2010132429.tif 000003
【図２】
2010132429.tif 000004
【図３】
2010132429.tif 000005
【図４】
2010132429.tif 000006
【図５】
2010132429.tif 000007
【図６】
2010132429.tif 000008
【図７】
2010132429.tif 000009
【図８】
2010132429.tif 000010
【図９】
2010132429.tif 000011
【図１０】
2010132429.tif 000012
【図１１】
2010132429.tif 000013
【図１２】
2010132429.tif 000014
【図１３】
2010132429.tif 000015
【図１４】
2010132429.tif 000016